(57)【要約】【課題】発電時間の経過に伴って発電効率が低下することを抑制することができる太陽光発電システムを提供する。【解決手段】太陽光発電システムは、発電装置１０１と、インバータ１０２とを備える。インバータ１０２は、発電装置１０１の出力電圧ＶｐｍをＤＣ／ＤＣ変換する非絶縁型ＤＣ／ＤＣコンバータと、前記非絶縁型ＤＣ／ＤＣコンバータの出力電圧ＶｂをＤＣ／ＡＣ変換するＤＣ／ＡＣインバータとを有し、インバータ１０２が商用電力系統と連系している場合に前記非絶縁型ＤＣ／ＤＣコンバータの出力電圧Ｖｂがグランド電位になるインバータである。前記非絶縁型ＤＣ／ＤＣコンバータの出力電圧Ｖｂの値が、前記商用電力系統の電圧値変動に依存することなく、発電装置１０１の出力電圧Ｖｐｍを２倍したものから所定値を引いた値以上に設定されている。【選択図】図１
2015057005.tif 000002
【特許請求の範囲】
【請求項１】
太陽電池モジュールを少なくとも一つ有する発電装置と、
前記発電装置の出力電圧の正極側を入力する正極側入力端子及び前記発電装置の出力電圧の負極側を入力する負極側入力端子を有するインバータとを備え、
前記インバータが、
前記正極側入力端子と前記負極側入力端子との間の電圧をＤＣ／ＤＣ変換する非絶縁型ＤＣ／ＤＣコンバータと、
前記非絶縁型ＤＣ／ＤＣコンバータの出力電圧をＤＣ／ＡＣ変換するＤＣ／ＡＣインバータとを有し、
前記インバータが商用電力系統と連系している場合に前記非絶縁型ＤＣ／ＤＣコンバータの出力電圧がグランド電位になるインバータであって、
前記非絶縁型ＤＣ／ＤＣコンバータの出力電圧の値が、前記商用電力系統の電圧値変動に依存することなく、前記発電装置の出力電圧を２倍したものから所定値を引いた値以上に設定されていることを特徴とする太陽光発電システム。
【請求項２】
前記発電装置の出力電圧の値に応じて前記非絶縁型ＤＣ／ＤＣコンバータの出力電圧の値を可変することを特徴とする請求項１に記載の太陽光発電システム。
【請求項３】
前記インバータが商用電力系統と連系している場合に前記正極側入力端子を接地せず、  前記インバータが商用電力系統から解列している場合に前記正極側入力端子を接地するための切換部を備えることを特徴とする請求項１または請求項２に記載の太陽光発電システム。
【請求項４】
前記発電装置が前記太陽電池モジュールを複数備え、
前記発電装置の出力電圧が前記太陽電池モジュールの出力電圧の少なくとも二つを直列加算した太陽電池モジュールストリング電圧であることを特徴とする請求項１〜３のいずれか１項に記載の太陽光発電システム。
【請求項５】
前記太陽電池モジュールが、Ｎ型シリコン基板の受光面とは反対側の裏面にＰ型集電層とＮ型集電層の双方を設けている裏面電極型太陽電池セルを有することを特徴とする請求項１〜４のいずれか１項に記載の太陽光発電システム。
【請求項６】
前記太陽電池モジュールが、前記太陽電池モジュールの縁部を覆う導電性のモジュール枠を有することを特徴とする請求項５に記載の太陽光発電システム。
【請求項７】
前記モジュール枠が接地されていることを特徴とする請求項６に記載の太陽光発電システム。
【発明の詳細な説明】
【技術分野】
【０００１】
本発明は、太陽電池モジュールを少なくとも一つ有する発電装置と、前記発電装置の出力電圧を交流電圧に変換して出力するインバータとを備える太陽光発電システムに関する。
【背景技術】
【０００２】
近年、太陽電池の発電効率向上のために、受光面である表面側に電極を設けず、受光面とは反対側の裏面にＰ型集電層（電極）とＮ型集電層（電極）の双方を設けて電極によるシャドーロスを無くした裏面電極型太陽電池が開発されている（例えば特許文献１参照）。
【先行技術文献】
【特許文献】
【０００３】
【特許文献１】特開２００６−１２８２５８号公報
【発明の概要】
【発明が解決しようとする課題】
【０００４】
ところが、裏面電極型太陽電池を備える太陽電池モジュール（以下、裏面電極型太陽電池モジュールともいう）に太陽光を照射して発電を行うと、発電時間の経過に伴って発電効率が低下することが起こる場合がある。本発明者らはこの現象を分析した結果、従来から使用されている受光面側にも電極が設けられた太陽電池を備える太陽電池モジュールではこの現象が起こりにくいこと、裏面電極型太陽電池モジュール内の発電部の電位とモジュール枠など裏面電極型太陽電池モジュールの発電に寄与しない部分の電位との間の電位差が大きいほど発電効率が低下しやすいこと、及び、降雨などによって裏面電極型太陽電池モジュールの受光面に水の膜ができている状態において発電効率が低下しやすいことを突き止めた。
【０００５】
上記の分析結果から本発明者らは、以下に示すメカニズムで裏面電極型太陽電池モジュールの発電効率の低下が起こると推定した。ここで、裏面電極型太陽電池モジュールの概略断面の一例を図８に示し、本発明者らが推定したメカニズムを図８の部分拡大図である図９を用いて説明する。
【０００６】
図８に示す裏面電極型太陽電池モジュールは、Ｎ型シリコン基板１と、Ｎ型シリコン基板１の受光面である表面側に設けられるパッシベーション膜２と、Ｎ型シリコン基板１の受光面とは反対側の裏面に設けられるＰ型集電層３及びＮ型集電層４を有する裏面電極型太陽電池セル５を複数備え、更に、隣接している２つの裏面電極型太陽電池セル５同士の隣接するＰ型集電層３とＮ型集電層４とを接続するための接続部材６も備える。なお、Ｎ型シリコン基板１内には、Ｐ型集電層３に接するようにＰ＋層１Ａが形成され、Ｎ型集電層４に接するようにＮ＋層１Ｂが形成される。図８に示す裏面電極型太陽電池モジュールでは、裏面電極型太陽電池セル５及び接続部材６が、エチレンビニルアセテート樹脂などの封止材７によって封止され、封止材７の表面側にガラス等の透光性基板８が設けられ、封止材７の裏面側に裏面保護シート９が設けられ、封止材７、透光性基板８、及び裏面保護シート９の側面と、透光性基板８の表面側周縁及び裏面保護シート９の裏面側周縁とを覆うゴム等の端面封止材１０が設けられ、端面封止材１０の外側にアルミ等の導電性のモジュール枠１１が設けられている。
【０００７】
（i）裏面電極型太陽電池モジュール内の発電部（Ｎ型シリコン基板１）と裏面電極型太陽電池モジュールの発電に寄与しない部分（モジュール枠１１）との電位差によって図９に示す電界が封止材７にかかると、封止材７に含まれる自由電子１２がパッシベーション膜２の受光面側に集められる。
（ii）Ｎ型シリコン基板１に含まれる正孔には、パッシベーション膜２の受光面側に集められた封止材７に含まれる自由電子１２と対を成すようにパッシベーション膜２側に引き寄せようとする力がかかる。
（iii）Ｎ型シリコン基板１内に光が照射されると、光励起により電子１３と正孔１４の対が発生する。これらはｐｎ接合部の電界によって、電子１３はＮ型集電層４に、正孔１４はＰ型集電層３に到達することで発電電力として外部に取り出すことが可能となるが、上記（ii）で説明した力により正孔１４がパッシベーション膜２に向かう確率が増えてしまう。図９に示すように太陽電池の基板がＮ型シリコン基板である場合は正孔１４が少数キャリアとなるため、光励起によって発生した正孔１４がＰ型集電層３に到達する割合が低下してしまうと、外部に取り出せる発電電力、すなわち発電効率が低下する。
【０００８】
上記の推定メカニズムを踏まえると、発電時間の経過に伴って起こり得る裏面電極型太陽電池モジュールの発電効率の低下を防止する方策として、図９に示す電界が封止材７にかからないようにすることで、パッシベーション膜上に電子が蓄積しないようにすることが考えられる。しかしながら、裏面電極型太陽電池モジュール内の発電部と、裏面電極型太陽電池モジュールの発電に寄与しない部分との電位差は、太陽光発電システム全体の構成によって決まるため、裏面電極型太陽電池モジュール自体では解決が困難であるといった課題があった。
【０００９】
本発明は、上記の状況に鑑み、発電時間の経過に伴って発電効率が低下することを抑制することができる太陽光発電システムを提供することを目的とする。
【課題を解決するための手段】
【００１０】
上記目的を達成するために本発明に係る太陽光発電システムは、太陽電池モジュールを少なくとも一つ有する発電装置と、前記発電装置の出力電圧の正極側を入力する正極側入力端子及び前記発電装置の出力電圧の負極側を入力する負極側入力端子を有するインバータとを備え、前記インバータが、前記正極側入力端子と前記負極側入力端子との間の電圧をＤＣ／ＤＣ変換する非絶縁型ＤＣ／ＤＣコンバータと、前記非絶縁型ＤＣ／ＤＣコンバータの出力電圧をＤＣ／ＡＣ変換するＤＣ／ＡＣインバータとを有し、前記インバータが商用電力系統と連系している場合に前記非絶縁型ＤＣ／ＤＣコンバータの出力電圧がグランド電位になるインバータであって、前記非絶縁型ＤＣ／ＤＣコンバータの出力電圧の値が、前記商用電力系統の電圧値変動に依存することなく、前記発電装置の出力電圧を２倍したものから所定値を引いた値以上に設定されている構成とする。
【００１１】
また、前記発電装置の出力電圧の値に応じて前記非絶縁型ＤＣ／ＤＣコンバータの出力電圧の値を可変するようにしてもよい。
【００１２】
また、前記インバータが商用電力系統と連系している場合に前記正極側入力端子を接地せず、前記インバータが商用電力系統から解列している場合に前記正極側入力端子を接地するための切換部を備えるようにしてもよい。
【００１３】
また、前記発電装置が前記太陽電池モジュールを複数備え、前記発電装置の出力電圧が前記太陽電池モジュールの出力電圧の少なくとも二つを直列加算した太陽電池モジュールストリング電圧であってもよい。
【００１４】
また、前記太陽電池モジュールが、Ｎ型シリコン基板の受光面とは反対側の裏面にＰ型集電層とＮ型集電層の双方を設けている裏面電極型太陽電池セルを有するようにしてもよい。
【００１５】
また、前記太陽電池モジュールが、前記太陽電池モジュールの縁部を覆う導電性のモジュール枠を有するようにしてもよい。
【００１６】
また、前記モジュール枠を接地するようにしてもよい。
【発明の効果】
【００１７】
本発明によると、前記インバータが商用電力系統と連系している場合に前記インバータの前記正極側入力端子の電位が前記所定値の半分以下になる。したがって、前記所定値を小さい値にすれば、前記発電装置の太陽電池モジュールとして、太陽電池モジュール内の発電部の電位が高いと発電時間の経過に伴って発電効率が低下するおそれがあるタイプの太陽電池モジュールを用いた場合でも、発電時間の経過に伴って発電効率が低下することを抑えることができる。
【図面の簡単な説明】
【００１８】
【図１】第一の実施形態に係る太陽光発電システムを示す図である。
【図２】インバータの正極入力端子の接地を可能とする太陽光発電システムの構成例を示す図である。
【図３】第二の実施形態に係る太陽光発電システムを示す図である。
【図４】第三の実施形態に係る太陽光発電システムを示す図である。
【図５】第一の実施形態に係る発電装置を示す図である。
【図６】第四の実施形態に係る発電装置を示す図である。
【図７】第五の実施形態に係る発電装置を示す図である。
【図８】裏面電極型太陽電池モジュールの概略断面の一例を示す図である。
【図９】図８の部分拡大図である。
【発明を実施するための形態】
【００１９】
第一の実施形態について説明する前に、前提となる太陽光発電システムの基本構成例について図１を参照して説明する。
【００２０】
図１に示す構成の太陽光発電システムは、太陽電池モジュールを少なくとも一つ有する発電装置１０１と、発電装置１０１の出力電圧を交流電圧に変換して出力するインバータ１０２と備えている。インバータ１０２は、発電装置１０１の出力電圧Ｖｐｍを直流電圧Ｖｂに変換するＤＣ／ＤＣコンバータと、直流電圧Ｖｂを三相交流電圧に変換するＤＣ／ＡＣインバータと、上記ＤＣ／ＤＣコンバータ及び上記ＤＣ／ＡＣインバータ内の各ＮＰＮトランジスタのスイッチング動作を制御する制御回路ＣＮＴ１と、上記ＤＣ／ＡＣインバータから出力される三相交流電圧に含まれる高周波ノイズを除去するフィルタ回路とを有している。
【００２１】
上記ＤＣ／ＤＣコンバータは、コンデンサＣ１と、コイルＬ１と、ＮＰＮトランジスタＱ１と、ダイオードＤ１と、電解コンデンサＣ２及びＣ３とによって構成される非絶縁型昇圧ＤＣ／ＤＣコンバータである。コンデンサＣ１の一端はインバータ１０２の正極側入力端子Ｔ１とコイルＬ１の一端とに接続され、コンデンサＣ１の他端はインバータ１０２の負極側入力端子Ｔ２とＮＰＮトランジスタＱ１のエミッタとに接続される。また、コイルＬ１の他端はＮＰＮトランジスタＱ１のコレクタとダイオードＤ１のアノードとに接続される。そして、ダイオードＤ１のカソードが電界コンデンサＣ２の正極に接続され、電界コンデンサＣ２の負極が電界コンデンサＣ３の正極に接続され、電界コンデンサＣ３の負極がＮＰＮトランジスタＱ１のエミッタに接続される。
【００２２】
上記ＤＣ／ＡＣインバータは、電解コンデンサＣ２及びＣ３と、ＮＰＮトランジスタＱ２〜Ｑ５とによって構成される。電解コンデンサＣ２及びＣ３は、上記ＤＣ／ＤＣコンバータと上記ＤＣ／ＡＣインバータとに共用されている。電界コンデンサＣ２の正極はＮＰＮトランジスタＱ２のコレクタとＮＰＮトランジスタＱ３のコレクタに接続され、電界コンデンサＣ３の負極はＮＰＮトランジスタＱ４のエミッタとＮＰＮトランジスタＱ５のエミッタに接続される。また、ＮＰＮトランジスタＱ２のエミッタがＮＰＮトランジスタＱ４のコレクタに接続され、ＮＰＮトランジスタＱ３のエミッタがＮＰＮトランジスタＱ５のコレクタに接続される。そして、ＮＰＮトランジスタＱ２のエミッタとＮＰＮトランジスタＱ４のコレクタとの接続点がコイルＬ２を介してインバータ１０２の第１出力端子Ｔ３に接続され、電界コンデンサＣ２の負極と電界コンデンサＣ３の正極との接続点Ｎ１がインバータ１０２の第２出力端子Ｔ４に接続され、ＮＰＮトランジスタＱ３のエミッタとＮＰＮトランジスタＱ５のコレクタとの接続点がコイルＬ３を介してインバータ１０２の第３出力端子Ｔ５に接続される。
【００２３】
上記フィルタ回路は、上述したコイルＬ２及びＬ３と、インバータ１０２の第１出力端子Ｔ３と第２出力端子Ｔ４との間に設けられるコンデンサＣ４と、インバータ１０２の第２出力端子Ｔ４と第３出力端子Ｔ５との間に設けられるコンデンサＣ５とによって構成される。
【００２４】
インバータ１０２の出力側がスイッチＳＷ１〜ＳＷ３を介してＡＣ２００Ｖの商用電力系統である受変電設備１０３の低圧側に接続される。より具体的には、インバータ１０２の第１出力端子Ｔ３がスイッチＳＷ１を介して受変電設備１０３の△結線された低圧側三相コイルのＲ極に接続され、インバータ１０２の第２出力端子Ｔ４がスイッチＳＷ２を介して受変電設備１０３の△結線された低圧側三相コイルのＳ極に接続され、インバータ１０２の第３出力端子Ｔ５がスイッチＳＷ３を介して受変電設備１０３の△結線された低圧側三相コイルのＴ極に接続される。したがって、インバータ１０２は、スイッチＳＷ１〜ＳＷ３がオン状態であれば、インバータ１０２は商用電力系統と連系し、スイッチＳＷ１〜ＳＷ３がオフ状態であれば、商用電力系統から解列する。
【００２５】
受変電設備１０３は、上述した△結線された低圧側三相コイルの他に、Ｙ結線された高圧側三相コイルも備えており、Ｙ結線された高圧側三相コイルが受け取ったＡＣ６６００Ｖの高電圧をＡＣ２００Ｖの低電圧に変換して△結線された低圧側三相コイルから出力する。なお、受変電設備１０３は、△結線された低圧側三相コイルが受け取ったＡＣ２００Ｖの低電圧をＡＣ６６００Ｖの高電圧に変換してＹ結線された高圧側三相コイルから出力することもできる。
【００２６】
そして、受変電設備１０３の△結線された低圧側三相コイルのＳ極と、インバータ１０２の接地端子Ｔ６とは接地されグランド電位（＝０Ｖ）になっている。
【００２７】
図１に示す構成の太陽光発電システムにおいて、従来は、制御回路ＣＮＴ１が、受変電設備１０３の△結線された低圧側三相コイルに発生するＡＣ２００Ｖの低電圧の電圧値変動に応じて、直流電圧Ｖｂの値を調整していた。このため、制御回路ＣＮＴ１による調整で直流電圧Ｖｂの値が小さくなると、正極側入力端子Ｔ１の電位が高くなってしまっていた。
【００２８】
ここで、発電装置１０１の太陽電池モジュールとして、例えば図８に示す裏面電極型太陽電池モジュールを用い、安全のためモジュール枠１１を接地する場合を考える。この場合、正極側入力端子Ｔ１の電位が高くなると、上述した推定メカニズムによって発電時間の経過に伴って発電効率が低下するおそれがあるという問題が生じる。なお、発電装置１０１の太陽電池モジュールとして、裏面電極型太陽電池モジュール以外の、太陽電池モジュール内の発電部の電位が高いと発電時間の経過に伴って発電効率が低下するおそれがあるタイプの太陽電池モジュールを用いた場合も同様の問題が生じる。
【００２９】
この問題を解決するために、正極側入力端子Ｔ１を接地して正極側入力端子Ｔ１の電位が高くならないようにする方策が考えられる。しかしながら、この方策を実現するためには、図２に示す構成のように、スイッチＳＷ１〜ＳＷ３と受変電設備１０３との間にトランスＴＲ１を設けて、電界コンデンサＣ２の負極と電界コンデンサＣ３の正極との接続点Ｎ１が受変電設備１０３の△結線された低圧側三相コイルのＳ極に対して絶縁されるようにする必要があり、コストの面や設置スペースの面で不利になる。
【００３０】
そこで、第一の実施形態に係る太陽光発電システムでは、スイッチＳＷ１〜ＳＷ３と受変電設備１０３との間にトランスＴＲ１を設けることなく、この問題を解決できるようにする。
【００３１】
第一の実施形態に係る太陽光発電システムの構成は、図１に示した基本構成と同一であるが、直流電圧Ｖｂの値の設定手法が従来と異なっている。
【００３２】
第一の実施形態に係る太陽光発電システムでは、直流電圧Ｖｂの値が、受変電設備１０３の△結線された低圧側三相コイルに発生するＡＣ２００Ｖの低電圧の電圧値変動（商用電力系統の電圧値変動）に依存することなく、発電装置１０１の出力電圧Ｖｐｍを２倍したものから所定値αを引いた値以上に設定されている。
【００３３】
インバータ１０２が商用電力系統と連系していれば、電界コンデンサＣ２の負極と電界コンデンサＣ３の正極との接続点Ｎ１が０Ｖになるので、この設定により、インバータ１０２が商用電力系統と連系している期間は、インバータ１０２の正極側入力端子Ｔ１の電位が０．５α以下になる。したがって、αを小さい値にすれば、発電装置１０１の太陽電池モジュールとして、太陽電池モジュール内の発電部の電位が高いと発電時間の経過に伴って発電効率が低下するおそれがあるタイプの太陽電池モジュールを用いた場合でも、発電時間の経過に伴って発電効率が低下することを抑えることができる。なお、所定値αは０であることが好ましい。
【００３４】
また、第一の実施形態に係る太陽光発電システムでは、発電装置１０１の出力電圧Ｖｐｍの値を必ずしも検出する必要はなく、発電装置１０１の出力電圧Ｖｐｍの最大値が想定できれば、発電装置１０１の出力電圧Ｖｐｍの値の変化にかかわらず、直流電圧Ｖｂの値を、受変電設備１０３の△結線された低圧側三相コイルに発生するＡＣ２００Ｖの低電圧の電圧値変動（商用電力系統の電圧値変動）に依存することなく、発電装置１０１の出力電圧Ｖｐｍを２倍したものから所定値αを引いた値以上に設定することができる。
【００３５】
しかしながら、インバータ１０２の電力変換効率を向上させるために、第二の実施形態として図３に示すように、制御回路ＣＮＴ１が発電装置１０１の出力電圧Ｖｐｍの値を検出できる構成とし、制御回路ＣＮＴ１が、発電装置１０１の出力電圧Ｖｐｍの値に応じて直流電圧Ｖｂの値が可変するように、上記ＤＣ／ＤＣコンバータ及び上記ＤＣ／ＡＣインバータ内の各ＮＰＮトランジスタのスイッチング動作を制御することが好ましい。
【００３６】
また、第一の実施形態に係る太陽光発電システムでは、インバータ１０２が商用電力系統から解列した場合、電界コンデンサＣ２の負極と電界コンデンサＣ３の正極との接続点Ｎ１の電位を０Ｖに維持できないので、直流電圧Ｖｂの値を、受変電設備１０３の△結線された低圧側三相コイルに発生するＡＣ２００Ｖの低電圧の電圧値変動（商用電力系統の電圧値変動）に依存することなく、発電装置１０１の出力電圧Ｖｐｍを２倍したものから所定値αを引いた値以上に設定していても、発電装置１０１の太陽電池モジュールの発電効率が発電時間の経過に伴って低下するおそれがある。
【００３７】
そこで、第三の実施形態として図４に示すように、正極側入力端子Ｔ１をスイッチＳＷ４を介して接地するとともに、制御回路ＣＮＴ１が、スイッチＳＷ１〜ＳＷ３の状態を監視して、インバータ１０２が商用電力系統と連系している場合（スイッチＳＷ１〜ＳＷ３がオン状態である場合）にスイッチＳＷ４をオフ状態にし、インバータ１０２が商用電力系統から解列している場合（スイッチＳＷ１〜ＳＷ３がオフ状態である場合）にスイッチＳＷ４をオン状態にする構成とすることが好ましい。この構成によると、インバータ１０２が商用電力系統から解列した場合には、正極側入力端子Ｔ１が接地されるので、発電装置１０１の太陽電池モジュールの発電効率が発電時間の経過に伴って低下するおそれがない。なお、インバータ１０２が商用電力系統から解列した場合には、オフ状態であるスイッチＳＷ２によって、電界コンデンサＣ２の負極と電界コンデンサＣ３の正極との接続点Ｎ１が受変電設備１０３の△結線された低圧側三相コイルのＳ極に対して絶縁されるので、トランスＴＲ１を設けずに正極側入力端子Ｔ１を接地しても何ら不具合は生じない。
【００３８】
次に、発電装置１０１の一構成例を図５に示す。図５に示す構成例では、発電装置１０１内の四つの太陽電池モジュールＭ１は直列接続されており、四つの太陽電池モジュールＭ１の出力電圧を直列加算した太陽電池モジュールストリング電圧が発電装置１０１の出力電圧となる。
【００３９】
太陽電池モジュールＭ１は、例えば図８に示す裏面電極型太陽電池モジュールを用い、安全のためモジュール枠１１を接地する。なお、裏面電極型太陽電池モジュールの構造としては、図８に示す構造に限らず、例えば、図８に示す構造のパッシベーション膜２上に反射防止膜を設けたり、Ｎ型シリコン基板１の裏面にパッシベーション膜を設けたりしてもよい。また、裏面電極型太陽電池モジュールでは、Ｎ型シリコン基板の代わりにＰ型シリコン基板を用いることもできる。
【００４０】
また、太陽電池モジュールＭ１は、例示した裏面電極型太陽電池モジュールに限らず、太陽電池モジュール内の発電部の電位が高いと発電時間の経過に伴って発電効率が低下するおそれがあるタイプの太陽電池モジュールであればよい。
【００４１】
なお、図５に示した発電装置１０１の構成に代えて、第四の実施形態として図６に示すように太陽電池モジュールＭ１を複数直列接続した太陽電池モジュールストリングを複数並列接続した構成にしてもよい。また、図５に示した発電装置１０１の構成に代えて、第五の実施形態として図７に示すように太陽電池モジュールＭ１を一つのみ有する構成にしてもよい。
【００４２】
ただし、発電装置１０１が太陽電池モジュールＭ１を複数直列接続した太陽電池モジュールストリングを有する構成では、モジュール枠１１の電位を接地電位にした場合に、図５や図６の紙面上側に位置する太陽電池モジュールＭ１内の発電部が紙面下側に位置する太陽電池モジュールＭ１内の発電部よりも電位の高い状態になるため、発電時間の経過に伴って発電効率が低下することを直流電圧Ｖｂの値の設定手法を従来の手法から変更することによって抑制しない場合、発電効率が大きく低下する可能性がある。したがって、発電装置１０１が太陽電池モジュールＭ１を複数直列接続した太陽電池モジュールストリングを有する構成（第一の実施形態、第四の実施形態）の方が、発電装置１０１が太陽電池モジュールＭ１を複数直列接続した太陽電池モジュールストリングを有さない構成（第五の実施形態）よりも効果が顕著に現れる。
【００４３】
また、上述した実施形態における上記ＤＣ／ＤＣコンバータ及び上記ＤＣ／ＡＣインバータの構成はあくまで例示であるので、他の構成であっても構わない。また、インバータ１０２と連系する商用電力系統はＡＣ２００Ｖの商用電力系統に限定されることはなく、例えばＡＣ１００Ｖの商用電力系統であってもよい。また、上述した説明での各変形例は適宜組み合わせて実施することができる。
【符号の説明】
【００４４】
１  Ｎ型シリコン基板
１Ａ  Ｐ＋層
１Ｂ  Ｎ＋層
２  パッシベーション膜
３  Ｐ型集電層
４  Ｎ型集電層
５  裏面電極型太陽電池セル
６  接続部材
７  封止材
８  透光性基板
９  裏面保護シート
１０  端面封止材
１１  モジュール枠
１２  自由電子
１３  光励起により発生した電子
１４  光励起により発生した正孔
１０１  発電装置
１０２  インバータ
Ｃ１、Ｃ４、Ｃ５  コンデンサ
Ｃ２、Ｃ３  電解コンデンサ
ＣＮＴ１  制御回路
Ｄ１  ダイオード
Ｌ１〜Ｌ３  コイル
Ｍ１  太陽電池モジュール
Ｑ１〜Ｑ５  ＮＰＮトランジスタ
ＳＷ１〜ＳＷ４  スイッチ
Ｔ１  正極側入力端子
Ｔ２  負極側入力端子
Ｔ３  第１出力端子
Ｔ４  第２出力端子
Ｔ５  第３出力端子
Ｔ６  接地端子
ＴＲ１  トランス
【図１】
2015057005.tif 000003
【図２】
2015057005.tif 000004
【図３】
2015057005.tif 000005
【図４】
2015057005.tif 000006
【図５】
2015057005.tif 000007
【図６】
2015057005.tif 000008
【図７】
2015057005.tif 000009
【図８】
2015057005.tif 000010
【図９】
2015057005.tif 000011